(57)【要約】【課題】メジャメントギャップの設定を変更可能な基地局及びハンドオーバ方法を提供する。【解決手段】本発明に係る基地局１０１は、無線通信端末１０７と通信を行う第１システムの基地局１０１であって、無線通信端末１０７から自局１０１と自局１０１に隣接する第１システムの隣接基地局１０３との通信品質を受信する送受信部１２１と、通信品質が第１閾値以上である場合、無線通信端末１０７に、第１システムと異なる第２システムの基地局１０５の通信品質測定を許可しない旨のメッセージを前記送受信部１２１から送信するように制御する制御部１２３とを備える。【選択図】図３
2012034048.tif 000002
【特許請求の範囲】
【請求項１】
無線通信端末と通信を行う第１システムの基地局において、
前記無線通信端末から自局と自局に隣接する前記第１システムの隣接基地局との通信品質を受信する送受信部と、
前記送受信部を制御する制御部とを備え、
前記制御部は、前記通信品質が第１閾値以上である場合、前記無線通信端末に、前記第１システムと異なる第２システムの基地局の通信品質測定を許可しない旨のメッセージを前記送受信部から送信するように制御する、
ことを特徴とする基地局。
【請求項２】
請求項１に記載の基地局において、
前記第２システムのスループットの理論値は前記第１システムよりも小さいとき、
前記制御部は、前記第１システムの前記基地局と前記隣接基地局との通信品質が前記第１閾値未満であると、
‐  前記無線通信端末に、前記第２システムの基地局の通信品質測定を許可する旨のメッセージを送受信部に送信させ、
‐  前記送受信部を介して受信された前記第２システムの前記基地局の通信品質が前記第１閾値よりも高い第２閾値以上であると、第２システムの前記基地局を前記無線通信端末のハンドオーバ先として決定する
ことを特徴とする基地局。
【請求項３】
無線通信端末が通信している第１システムの基地局から、前記第１システムと異なる第２システムの基地局へのハンドオーバ方法において、
前記第１システムの前記基地局又は当該基地局に隣接する前記第１システムの隣接基地局の通信品質が第１閾値以上であると、前記無線通信端末は、前記第２システムの前記基地局の通信品質を測定しないステップ
を含むハンドオーバ方法。
【発明の詳細な説明】
【技術分野】
【０００１】
本発明は、基地局及びハンドオーバ方法に関する。
【背景技術】
【０００２】
次世代の世界標準の無線通信方式として、ＬＴＥ（Long Term Evolution）システムが３ＧＰＰ（3rd Generation Partnership Project）で標準化されている。ＬＴＥシステムは、無線通信端末（ＵＥ：User Equipment）と、基地局（ｅＮＢ：evolved Node B）と、ＩＰ（Internet Protocol）ベースのコアネットワークであるＥＰＣ（Evolved Packet Core）とによって構成されている。
【０００３】
以下、３ＧＰＰによって策定されたＬＴＥシステムにおけるハンドオーバの仕様について説明する（例えば、非特許文献１参照）。ＬＴＥシステムにおいて無線通信端末は、RRC_IDLE状態とRRC_CONNECTED状態との２種類の状態を有する。RRC_IDLE状態とは、基地局によって無線リソースが管理されていない状態を指す。RRC_CONNECTED状態とは、基地局によって無線リソースが管理され、無線通信端末がいつでもデータ通信できる状態を指す。無線通信端末がRRC_CONNECTED状態であるときのハンドオーバについて図８を参照して説明する。まず、無線通信端末が、通信先である基地局と当該基地局に隣接する隣接基地局Ａ及びＢから電波を受信し、通信品質（例えば電波強度）を測定する（Measurement）。そして、無線通信端末は、測定結果をメジャメントレポート（Measurement Report）メッセージにより通信先である基地局に送信する。そして、メジャメントレポートメッセージを受信した基地局は、メジャメントレポートメッセージの電波強度や無線リソースの情報を基にどの隣接基地局にハンドオーバさせるかを決定する。ハンドオーバ先の決定後（図８では、ハンドオーバ先を隣接基地局Ａに決定）、無線通信端末とハンドオーバ先の基地局（隣接基地局Ａ）とは、ハンドオーバプロシージャ（handover procedure）を開始する。
【０００４】
つまり、基地局がハンドオーバ先を決定するためには、無線通信端末からメジャメントレポートメッセージを受信することが必要となる。無線通信端末がメジャメントレポートメッセージを送信するタイミングは、無線通信端末に設定される送信トリガに基づいて決まる。メジャメントレポートメッセージの送信タイミングを定める送信トリガは２種類存在し、無線通信端末が一定の間隔で送信する「周期型（periodic type）トリガ」と、特定の電波条件が満たされた場合にのみ送信する「イベント型（event type）トリガ」とがある。
【０００５】
メジャメントレポートメッセージの送信トリガに周期型トリガが設定されると、無線通信端末は、図９のように指定された周期Ｔでメジャメントレポートメッセージを送信する。なお、この周期Ｔについては、基地局が無線通信端末に設定することができる。
【０００６】
一方、メジャメントレポートメッセージの送信トリガにイベント型トリガが設定されると、無線通信端末は、図１０のように送信トリガの条件（例えば電波条件）が満たされた場合にのみメジャメントレポートメッセージを基地局に送信する。
【０００７】
イベント型トリガについてより詳細に説明する。ＬＴＥシステムの無線通信端末に設定可能なイベント型トリガは、７種類存在し、ここでは表１に示す４種類について示す。Intra-LTEハンドオーバとは、ＬＴＥシステム内でのハンドオーバのことであり、Inter-RAT（Radio Access Technology）ハンドオーバとは、異なる無線通信システム間でのハンドオーバのことであり、例えば、ＬＴＥシステムとＨＲＰＤ（High Rate Packet Data：高速パケットデータ）システム又はＣＤＭＡ（Code Division Multiple Access）システムとの間のハンドオーバである。ＬＴＥサービングセル（LTE Serving Cell）とは、無線通信端末と無線リンクを確立しているＬＴＥシステムの基地局のことである。ＬＴＥ隣接セル（LTE Neighbor Cell）とは、サービングセルに隣接しているＬＴＥシステムの基地局のことである。Inter-RAT（Inter-Radio Access Technology）隣接セルとは、サービングセルに隣接している他の無線通信システムの基地局のことである。イベントＡ１、Ａ２、Ａ５の送信トリガは、ＬＴＥシステム間でのIntra-LTEハンドオーバのために用いられる。イベントＢ２は、ＬＴＥシステムの基地局から他の無線通信システムのInter-RAT隣接セルへのInter−RATハンドオーバのために用いられる。基地局は、無線通信端末に対して、閾値をトリガ毎に設定することができる。
【０００８】
イベントＡ５を例に条件式の適用例について説明する。図１１のように時間とともに、サービングセル及び隣接セルの電波強度が変化した場合、時刻ｔａでイベントＡ５の条件式が満たされることになる。つまり、時刻ｔａで、ＬＴＥサービングセルからＬＴＥ隣接セルへのIntra-LTEハンドオーバが開始されることになる。
【０００９】
【表１】
2012034048.tif 000003
【００１０】
ハンドオーバが行われると、無線通信端末の通信先である基地局が変わるのでそれに伴い、無線通信端末に設定されているメジャメントレポートメッセージの送信トリガは、再設定される必要がある。そのために、基地局は、図１２に示されるように、無線通信端末にRRCConnectionReconfigurationメッセージを送信する。RRCConnectionReconfigurationメッセージには、無線通信端末が設定すべきトリガの種類、周期型トリガの周期の値又はイベント型トリガの閾値などの情報が含まれている。無線通信端末は、受信したRRCConnectionReconfigurationメッセージに基づいて、新たな送信トリガを設定する。
【００１１】
上述した例は、無線通信端末が、ＬＴＥシステムにおいて測定された基地局の電波強度を用いて、ＬＴＥシステム間でのIntra-LTEハンドオーバを行うものである。一方、ＬＴＥシステムから他の無線通信システム（例えば、ＨＲＰＤシステム）のInter-RAT隣接セルへのInter-RATハンドオーバが行われるためには、他の無線通信システムの基地局の電波強度を測定する必要がある。しかし、無線通信端末は、通信方式の違いから、ＬＴＥシステムに対応した状態のままでは、他の無線通信システムの基地局の電波強度を測定することはできない。そのため、無線通信端末は、図１３のように、ＬＴＥシステムにおけるサブフレーム（Sub Frame）の一部を定期的に、他のシステムの基地局の電波強度の測定（Measurement）に割り当て、一時的に他の通信方式に切り換える。この割り当てられた区間をメジャメントギャップ（Measurement Gap）というが、このメジャメントギャップを設定することにより、他の無線通信システムの基地局の電波強度測定が可能になり、異なる無線通信システム間でのInter-RATハンドオーバが実現される。従来のハンドオーバの方法では、ＬＴＥシステム間でのIntra-LTEハンドオーバだけでなく、ＬＴＥシステムから他の無線通信システムへのInter-RATハンドオーバも可能となるように構成されているため、常にメジャメントギャップを設定する必要がある。
【先行技術文献】
【非特許文献】
【００１２】
【非特許文献１】３ＧＰＰ；Technical Specification Group Radio Access Network; Evolved Universal Terrestrial Radio Access (E-UTRA) Radio Resource Control (RRC); Protocol specification
【発明の概要】
【発明が解決しようとする課題】
【００１３】
しかし、メジャメントギャップを設定することにより、異なる無線通信システム間でのInter-RATハンドオーバは可能となるが、この間、ＬＴＥシステムの基地局との通信は不能となってしまう。そのため、メジャメントギャップは、ＬＴＥシステムにおける通信のスループットの低下を招く。
【００１４】
従って、上記のような従来技術の問題点に鑑みてなされた本発明の目的は、メジャメントギャップの設定を変更可能な基地局及びハンドオーバ方法を提供することにある。
【課題を解決するための手段】
【００１５】
上述した諸課題を解決すべく、第１の発明による基地局は、
無線通信端末と通信を行う第１システムの基地局において、
前記無線通信端末から自局と自局に隣接する前記第１システムの隣接基地局との通信品質を受信する送受信部と、
前記送受信部を制御する制御部とを備え、
前記制御部は、前記通信品質が第１閾値以上である場合、前記無線通信端末に、前記第１システムと異なる第２システムの基地局の通信品質測定を許可しない旨のメッセージを前記送受信部から送信するように制御する、
ことを特徴とする。
【００１６】
また、前記第２システムのスループットの理論値は前記第１システムよりも小さいとき、前記制御部は、前記第１システムの前記基地局と前記隣接基地局との通信品質が前記第１閾値未満であると、
‐  前記無線通信端末に、前記第２システムの基地局の通信品質測定を許可する旨のメッセージを送受信部に送信させ、
‐  前記送受信部を介して受信された前記第２システムの前記基地局の通信品質が前記第１閾値よりも高い第２閾値以上であると、第２システムの前記基地局を前記無線通信端末のハンドオーバ先として決定する
ことが望ましい。
【００１７】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１８】
例えば、第１の発明を方法として実現させたハンドオーバ方法は、
無線通信端末が通信している第１システムの基地局から、前記第１システムと異なる第２システムの基地局へのハンドオーバ方法において、
前記第１システムの前記基地局又は当該基地局に隣接する前記第１システムの隣接基地局の通信品質が第１閾値以上であると、前記無線通信端末は、前記第２システムの前記基地局の通信品質を測定しないステップ
を含むものである。
【発明の効果】
【００１９】
上記のように構成された本発明にかかる基地局及びハンドオーバ方法によれば、第１システムの基地局及び当該基地局に隣接する第１システムの隣接基地局の電波強度が共に第１閾値未満になるまでは、無線通信端末は、第２システムの基地局の通信品質を測定しないので、メジャメントギャップを設定する必要がない。メジャメントギャップが設定されていない間は、ＬＴＥシステムにおける通信が中断されることはないので、ＬＴＥシステムにおける通信のスループットの低下を防ぐことができる。
【図面の簡単な説明】
【００２０】
【図１】図１は、本発明の一実施形態に係る概略的な通信ネットワーク図である。
【図２】図２は、本発明の一実施形態に係る第１システムの基地局の概略構成を示す機能ブロック図である。
【図３】図３は、本発明の一実施形態に係る、送信トリガと、無線通信端末の状態及び基地局間のハンドオーバとの関係を示す図である。
【図４】図４は、本発明の一実施形態に係る、無線通信端末の状態がSTATE_SERVであるときのＬＴＥサービングセルの処理を示すフローチャートである。
【図５】図５は、本発明の一実施形態に係る、無線通信端末の状態がSTATE_NEIGHBORであるときのＬＴＥサービングセルの処理を示すフローチャートである。
【図６】図６は、本発明の一実施形態に係る、無線通信端末の状態がSTATE_WEAKであるときのＬＴＥサービングセルの処理を示すフローチャートである。
【図７】図７は、本発明の一実施形態に係る、ＬＴＥサービングセル、ＬＴＥ隣接セル及びＨＲＰＤ隣接セルの電波強度と時間との関係を示す図である。
【図８】図８は、従来のハンドオーバ方法を示す図である。
【図９】図９は、周期型トリガによるメジャメントレポートメッセージ送信を示す図である。
【図１０】図１０は、イベント型トリガによるメジャメントレポートメッセージ送信を示す図である。
【図１１】図１１は、イベントＡ５とハンドオーバとの関係を示す図である。
【図１２】図１２は、RRCConnectionReconfigurationメッセージ送信を示す図である。
【図１３】図１３は、ＬＴＥサブフレームにおけるメジャメントギャップを示す図である。
【発明を実施するための形態】
【００２１】
以下、本発明の実施形態について、図面を参照して説明する。
【００２２】
図１は、本発明の一実施形態に係る概略的な通信ネットワーク図である。通信ネットワーク１１は、第１システムの基地局１０１と、基地局１０１に隣接する第１システムの基地局（請求項における隣接基地局）１０３と、基地局１０１に隣接する第２システムの基地局１０５と、無線通信端末１０７とから構成されている。領域１１１は、基地局１０１の電波が届く範囲（セル）を示している。領域１１３は、基地局１０３の電波が届く範囲を示している。領域１１５は、基地局１０５の電波が届く範囲を示している。つまり、領域１１１、１１３、及び１１５が重なり合う領域Ａは、３つの基地局１０１、１０３及び１０５からの電波が届くことを意味する。基地局同士が隣接するとは、当該基地局のセル同士が重なり合っていることを意味する。また、第１システム及び第２システムは、無線通信方式を意味し、第１システムのスループットの理論値は、第２システムよりも大きいものとする。以下、本実施形態では、第１システムはＬＴＥシステム、第２システムはＨＲＰＤシステムであるとするが、本発明はこれに限定されるものではない。例えば第１システムにＬＴＥシステム、第２システムにＣＤＭＡシステムを選択することもできる。以下、無線通信端末１０７と通信している基地局１０１をＬＴＥサービングセルと、ＬＴＥサービングセルに隣接するＬＴＥシステムの基地局１０３をＬＴＥ隣接セルと、ＬＴＥサービングセルに隣接するＨＲＰＤシステムの基地局１０５をＨＲＰＤ隣接セルとそれぞれ称する。なお、図１には、ＬＴＥ隣接セル及びＨＲＰＤ隣接セルが１つのみ示されているが、本発明では、隣接セルは、１つに限定されるものではなく、複数存在してもよい。
【００２３】
図２は、本発明の一実施形態に係る第１システムの基地局の概略構成を示す機能ブロック図である。本発明の基地局１０１は、送受信部１２１及び制御部１２３を有する。
【００２４】
送受信部１２１は、無線通信端末１０７と各種データを送受信するものであり、例えば、無線通信端末１０７からメジャメントレポートメッセージを受信したり、RRCConnectionReconfigurationメッセージを無線通信端末に送信する。メジャメントレポートメッセージは、無線通信端末１０７が測定した基地局の通信品質、例えば電波強度（ＲＳＳＩ：Received Signal Strength Indicator）や搬送波レベル対干渉雑音比（ＣＩＮＲ：Carrier to Interference and Noise Ratio）の情報を含むものである。以下、本実施形態では、通信品質は電波強度であるとする。無線通信端末１０７は、通信可能な基地局の電波強度について測定することができ、図１のように、基地局１０１のセル内に位置する無線通信端末１０７は、基地局１０１の電波強度について測定することができる。また、無線通信端末１０７が領域Ａに移動した場合は、基地局１０１、１０３及び１０５の電波強度について測定することができる。RRCConnectionReconfigurationメッセージは、無線通信端末１０７が基地局にメジャメントレポートメッセージを送信するタイミングを定めた送信トリガについての情報を含むものであり、本実施形態の送信トリガは、周期型トリガ及び表１の４つのイベント型トリガであるとする。
【００２５】
制御部１２３は、基地局１０１の各機能ブロックをはじめとして基地局１０１の全体を制御及び管理する。ここで、制御部１２３は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることができる。制御部１２３の行う処理については、後述の図４、図５、図６及び図７の説明にて詳述する。
【００２６】
本発明の一実施形態に係る基地局１０１の動作を説明する前に、無線通信端末１０７の通信先（ハンドオーバ先）の基地局の優先度及び基地局の電波強度に応じた無線通信端末１０７の状態について説明する。
【００２７】
まず、無線通信端末１０７の通信先の基地局の優先度について図１及び表２を用いて説明する。図１のように、無線通信端末１０７が、基地局１０１と通信を行いながら、基地局１０１、１０３及び１０５から電波が届く領域Ａに移動するとする。無線通信端末１０７は、領域Ａへの移動により、基地局１０１との通信を維持することも、基地局１０３又は１０５にハンドオーバすることも可能となる。このとき、無線通信端末１０７の通信先の基地局の優先度を表２のように定める。表２の「１」が最も優先度が高く、「３」が最も優先度が低い。ハンドオーバは、ネットワークに負荷をかけ、電力を消費し、データの損失や遅延の原因となるものであるため、ハンドオーバの回数は少ないほうがよい。そのため、現在、無線通信端末１０７と通信している、つまり無線通信端末の無線リソースを管理している基地局１０１（ＬＴＥサービングセル）を通信先として最も優先度の高い基地局と設定する。すなわち、ハンドオーバは行われない。
【００２８】
しかし、ＬＴＥサービングセルの電波強度が悪くなると、通話が困難になり、通話品質の劣化を引き起こす。この場合、ハンドオーバが必要となる。ハンドオーバ先としては、ＬＴＥサービングセルに隣接するＬＴＥシステムの基地局１０３（ＬＴＥ隣接セル）又はＬＴＥサービングセルに隣接するＨＲＰＤシステムの基地局１０５（ＨＲＰＤ隣接セル）である。ＬＴＥシステムの方が、ＨＲＰＤシステムより、スループットの理論値が高いため、ＬＴＥ隣接セルを通信先として２番目に優先度の高い基地局と設定する。最も優先度の低い基地局をＨＲＰＤ隣接セルとする。
【００２９】
【表２】
2012034048.tif 000004
【００３０】
この優先度を実現するために、基地局の電波強度に応じた無線通信端末の３つの状態を規定する。無線通信端末１０７は、表３のようにSTATE_SERVE、STATE_NEIGHBOR及びSTATE_WEAKの３つの状態を取りうるものとする。STATE_SERVは、ＬＴＥサービングセルの電波強度が閾値ａ以上のとき、又はＬＴＥサービングセルの電波強度が閾値ｃ以上閾値ａ未満でＬＴＥ隣接セルの電波強度が閾値ｃ（請求項における第１閾値）未満のときの無線通信端末１０７の状態を指す。STATE_NEIGHBORは、ＬＴＥサービングセルの電波強度が閾値ａ未満でＬＴＥ隣接セルの電波強度が閾値ｃ以上のときの無線通信端末１０７の状態を指す。STATE_WEAKは、ＬＴＥサービングセル及びＬＴＥ隣接セルの電波強度が共に閾値ｃ未満のときの無線通信端末１０７の状態を指す。無線通信端末１０７には、状態に応じて異なるメジャメントレポートメッセージの送信トリガが設定される。無線通信端末１０７の状態がSTATE_SERVでは、イベントＡ２が、STATE_NEIGHBORでは、イベントＡ１、Ａ５及び周期型トリガが、STATE_WEAKでは、イベントＡ１、Ｂ２及び周期型トリガが設定される。イベントＡ１は、ＬＴＥサービングセルの電波強度が閾値ａ以上になったときにメジャメントレポートメッセージが送信されることを意味する。イベントＡ２は、ＬＴＥサービングセルの電波強度が閾値ａ未満になったときにメジャメントレポートメッセージが送信されることを意味する。イベントＡ５は、ＬＴＥ隣接セルの電波強度が閾値ｂ（請求項における第２閾値）以上になり、且つＬＴＥサービングセルの電波強度が閾値ｃ未満になったときにメジャメントレポートメッセージが送信されること意味する。イベントＢ２は、ＨＲＰＤ隣接セルの電波強度が閾値ｂ以上になり、ＬＴＥサービングセルの電波強度が閾値ｃ未満になったときにメジャメントレポートメッセージが送信されることを意味する。なお、閾値の値は、ａ、ｂ、ｃの順に低く設定される。
【００３１】
【表３】
2012034048.tif 000005
【００３２】
つまり、本発明の一実施形態に係る、送信トリガと、無線通信端末１０７の状態及び基地局間のハンドオーバとの関係は図３のようになる。基地局１０１は、イベントＡ２の起動によるメジャメントレポートメッセージを受信し、当該メッセージの電波強度情報から無線通信端末１０７の状態がSTATE_SERVからSTATE_NEIGHBORに遷移したか否かを判断する。また、基地局１０１は、イベントＡ１の起動によるメジャメントレポートメッセージの受信により、無線通信端末１０７の状態がSTATE_NEIGHBORからSTATE_SERVに遷移したことを認識する。また、基地局１０１は、イベントＡ５の起動によるメジャメントレポートメッセージの受信により、基地局１０１（ＬＴＥサービングセル）から基地局１０３（ＬＴＥ隣接セル）にハンドオーバすべきと判断する。また、基地局１０１は、イベントＢ２の起動によるメジャメントレポートメッセージの受信により、基地局１０１（ＬＴＥサービングセル）から基地局１０５（ＨＲＰＤ隣接セル）にハンドオーバすべきと判断する。また、無線通信端末１０７の状態がSTATE_NEIGHBOR又はSTATE_WEAKのときは、基地局１０１は、周期型トリガにより、一定の周期でメジャメントレポートメッセージを受信する。これにより、基地局１０１は、無線通信端末１０７のSTATE_NEIGHBORとSTATE_WEAKとの間の遷移及びSTATE_NEIGHBOR又はSTATE_WEAKからSTATE_SERVへの遷移について認識する。
【００３３】
つまり、無線通信端末１０７がSTATE_NEIGHBORにならない限り、基地局１０１から基地局１０３へのハンドオーバが実行されることはない。また、無線通信端末１０７の状態がSTATE_WEAKにならない限り、基地局１０１から基地局１０５（ＨＲＰＤ隣接セル）へのハンドオーバが実行されることはない。よって、無線通信端末１０７の３つの状態と各状態に割り当てたられた送信トリガにより、表２の優先度が実現されることになる。
【００３４】
優先度が定められているので、基地局１０１は、無線通信端末１０７の状態がSTATE_WEAKにならない限り、ＨＲＰＤ隣接セルの電波強度の情報を利用しない。そのため、基地局１０１は、STATE_SERV及びSTATE_NEIGHBORの無線通信端末１０７に、ＨＲＰＤ隣接セルの電波強度測定を許可しない旨のメッセージを送る。電波強度測定を許可しない旨のメッセージとは、メジャメントギャップの設定を許可しない旨のメッセージのことである。無線通信端末１０７は、当該メッセージの受信により、無線通信端末１０７の状態がSTATE_WEAKになるまではＨＲＰＤ隣接セルの電波強度測定のためのメジャメントギャップを設定せず、また既にメジャメントギャップが設定されている場合は、メジャメントギャップを削除する。
【００３５】
続いて、図４、図５、図６及び図７を用いて、無線通信端末１０７と通信するＬＴＥシステムの基地局１０１（ＬＴＥサービングセル）の処理について説明する。図４は、本発明の一実施形態に係る、無線通信端末の状態がSTATE_SERVであるときのＬＴＥサービングセルの処理を示すフローチャートである。図５は、本発明の一実施形態に係る、無線通信端末の状態がSTATE_NEIGHBORであるときのＬＴＥサービングセルの処理を示すフローチャートである。図６は、本発明の一実施形態に係る、無線通信端末の状態がSTATE_WEAKであるときのＬＴＥサービングセルの処理を示すフローチャートである。図７は、本発明の一実施形態に係る、ＬＴＥサービングセル、ＬＴＥ隣接セル及びＨＲＰＤ隣接セルの電波強度と時間の関係を示す図である。なお、図４〜図７の説明に関し、無線通信端末１０７は、図１の領域Ａに位置しており、基地局１０１、１０３及び１０５の電波強度を測定可能であるとする。
【００３６】
まず、無線通信端末１０７の状態がSTATE_SERVであるときの基地局１０１の処理について説明する。このとき、無線通信端末１０７のメジャメントレポートメッセージの送信トリガには、イベントＡ２が設定されている。
【００３７】
基地局１０１の制御部１２３は、無線通信端末１０７に、ＨＲＰＤ隣接セルの電波強度測定用のメジャメントギャップの設定を許可しない旨のメッセージを送るように送受信部１２１を制御する（ステップＳ１０１）。つまり、基地局１０１は、無線通信端末１０７に、ＬＴＥシステムの基地局１０１及び１０３の電波強度のみを測定するように指示することになる。
【００３８】
そして、無線通信端末１０７は、基地局１０１及び基地局１０３の電波強度を測定する。無線通信端末１０７は、ＨＲＰＤシステムの基地局１０５の電波強度を測定しないので、メジャメントギャップを設定する必要はない。時刻ｔ１のときに基地局１０１（ＬＴＥサービングセル）の電波強度が閾値ａ未満となり、イベントＡ２の条件が満たされる。このとき、無線通信端末１０７は測定結果をメジャメントレポートメッセージとして基地局１０１に送る。
【００３９】
送受信部１２１がメジャメントレポートメッセージを受信すると（ステップＳ１０２）、制御部１２３は、メジャメントレポートメッセージから基地局１０１（ＬＴＥサービングセル）及び基地局１０３（ＬＴＥ隣接セル）の電波強度を取得する（ステップＳ１０３）。
【００４０】
制御部１２３は、ＬＴＥサービングセルの電波強度が閾値ａ未満且つＬＴＥ隣接セルの電波強度が閾値ｃ以上であるか判断する（ステップＳ１０４）。ステップＳ１０４の条件が満たされると（ステップＳ１０４のＹｅｓ）、制御部１２３は、無線通信装置１０７の状態がSTATE_SERVからSTATE_NEIGHBORに遷移したと判断する（ステップＳ１０５）。状態の変化に伴い、送信トリガを変更する必要があるので、制御部１２３は、RRCConnectionReconfigurationメッセージに変更すべき送信トリガ（イベントＡ１及びＡ５と周期型トリガ）の情報を含めて、当該メッセージを送受信部１２５に送信させる（ステップＳ１０６）。無線通信端末１０７は、RRCConnectionReconfigurationメッセージを受信し、送信トリガをイベントＡ２からイベントＡ１及びＡ５と周期型トリガとに変更する。
【００４１】
続いて、無線通信端末１０７の状態がSTATE_NEIGHBORであるときの基地局１０１の処理について説明する。このとき、無線通信端末１０７のメジャメントレポートメッセージの送信トリガにはイベントＡ１及びＡ５と周期型トリガとが設定されている。
【００４２】
無線通信端末１０７の状態がSTATE_NEIGHBORであるときは、基地局１０５（ＨＲＰＤ隣接セル）へのハンドオーバは実行されないので、基地局１０１の制御部１２３は、無線通信端末１０７に、ＨＲＰＤ隣接セルの電波強度測定用のメジャメントギャップの設定を許可しない旨のメッセージを送るように送受信部１２１を制御する（ステップＳ２０１）。
【００４３】
無線通信端末１０７は、基地局１０１及び基地局１０３の電波強度を測定する。無線通信端末１０７は、ＨＲＰＤシステムの基地局１０５の電波強度を測定しないので、メジャメントギャップを設定する必要はない。イベントＡ１、Ａ５又は周期型トリガのいずれかのトリガの条件が満たされると、無線通信端末１０７は、測定結果をメジャメントレポートメッセージとして基地局１０１に送る。
【００４４】
送受信部１２１がメジャメントレポートメッセージを受信すると（ステップＳ２０２）、制御部１２３は、メジャメントレポートメッセージから基地局１０１（ＬＴＥサービングセル）及び基地局１０３（ＬＴＥ隣接セル）の電波強度を取得する（ステップＳ２０３）。
【００４５】
制御部１２３は、基地局１０１（ＬＴＥサービングセル）の電波強度が閾値ａ以上であるか否か、又は基地局１０１の電波強度が閾値ｃ以上閾値ａ未満で基地局１０３（ＬＴＥ隣接セル）の電波強度が閾値ｃ未満であるか否か判断する（ステップＳ２０４）。ステップＳ２０４の条件が満たされると、制御部１２３は、無線通信端末１０７の状態がSTATE_NEIGHBORからSTATE_SERVに遷移したと判断する（ステップＳ２０５）。状態の変化に伴い、送信トリガを変更する必要があるので、制御部１２３は、RRCConnectionReconfigurationメッセージに変更すべき送信トリガ（イベントＡ２）の情報を含めて、当該メッセージを送受信部１２５に送信させる（ステップＳ２０６）。無線通信端末１０７は、RRCConnectionReconfigurationメッセージを受信し、送信トリガをイベントＡ１及びＡ５と周期型トリガとからイベントＡ２に変更する。
【００４６】
ステップＳ２０４の条件が満たされないとき、制御部１２３は、基地局１０１（ＬＴＥサービングセル）の電波強度が閾値ｃ未満、且つ基地局１０３（ＬＴＥ隣接セル）の電波強度が閾値ｂ以上であるかを判断する（ステップＳ２０７）。ステップＳ２０７の条件が満たされるとき、制御部１２３は、基地局１０３（ＬＴＥ隣接セル）をハンドオーバ先として決定する（ステップＳ２０８）。そして、ハンドオーバプロシージャにより、無線通信端末１０７は、基地局１０３と通信を行うことになる。
【００４７】
ステップＳ２０７の条件が満たさないとき、制御部１２３は、基地局１０１（ＬＴＥサービングセル）及び基地局１０３（ＬＴＥ隣接セル）の電波強度が閾値ｃ未満であるかを判断する（ステップＳ２０９）。ステップＳ２０９の条件が満たされるとき、制御部１２３は、無線通信端末１０７の状態がSTATE_NEIGHBORからSTATE_WEAKに遷移したと判断する（ステップＳ２１０）。つまり、図７の時刻ｔ２から無線通信端末１０７の状態はSTATE_WEAKとなる。状態の変化に伴い、送信トリガを変更する必要があるので、制御部１２３は、RRCConnectionReconfigurationメッセージに変更すべき送信トリガ（イベントＡ１及びＢ２と周期型トリガ）の情報を含めて、当該メッセージを送受信部１２５に送信させる（ステップＳ２０６）。無線通信端末１０７は、RRCConnectionReconfigurationメッセージを受信し、送信トリガをイベントＡ１及びＡ５と周期型トリガとからイベントＡ１及びＢ２と周期型トリガとに変更する。
【００４８】
最後に、無線通信端末１０７の状態がSTATE_WEAKであるときの基地局１０１の処理について説明する。このとき、無線通信端末１０７のメジャメントレポートメッセージの送信トリガにはイベントＡ１及びＢ２と周期型トリガとが設定されている。
【００４９】
無線通信端末１０７の状態がSTATE_WEAKであるときは、基地局１０５（ＨＲＰＤ隣接セル）へのハンドオーバが実行されることがあるので、基地局１０１の制御部１２３は、無線通信端末１０７に、ＨＲＰＤ隣接セルの電波強度測定用のメジャメントギャップの設定を許可する旨のメッセージを送るように送受信部１２１を制御する（ステップＳ３０１）。
【００５０】
無線通信端末１０７は、基地局１０１、基地局１０３及び基地局１０５の電波強度を測定する。無線通信端末１０７は、ＨＲＰＤシステムの基地局１０５の電波強度を測定するため、メジャメントギャップを設定する必要がある。イベントＡ１、Ｂ２又は周期型トリガのいずれかのトリガの条件が満たされると、無線通信端末１０７は、測定結果をメジャメントレポートメッセージとして基地局１０１に送る。
【００５１】
送受信部１２１がメジャメントレポートメッセージを受信すると（ステップＳ３０２）、制御部１２３は、メジャメントレポートメッセージから基地局１０１（ＬＴＥサービングセル）、基地局１０３（ＬＴＥ隣接セル）及び基地局１０５（ＨＲＰＤ隣接セル）の電波強度を取得する（ステップＳ３０３）。
【００５２】
制御部１２３は、基地局１０１（ＬＴＥサービングセル）の電波強度が閾値ａ以上であるか否か、又は基地局１０１の電波強度が閾値ｃ以上閾値ａ未満で基地局１０３（ＬＴＥ隣接セル）の電波強度が閾値ｃ未満であるか否か判断する（ステップＳ３０４）。ステップＳ３０４の条件が満たされるとき、制御部１２３は、無線通信端末１０７の状態がSTATE_WEAKからSTATE_SERVに遷移したと判断する（ステップＳ３０５）。状態の変化に伴い、送信トリガを変更する必要があるので、制御部１２３は、RRCConnectionReconfigurationメッセージに変更すべき送信トリガ（イベントＡ２）の情報を含めて、当該メッセージを送受信部１２５に送信させる（ステップＳ３０６）。無線通信端末１０７は、RRCConnectionReconfigurationメッセージを受信し、送信トリガをイベントＡ１及びＢ２と周期型トリガとからイベントＡ２に変更する。
【００５３】
ステップＳ３０４において、基地局１０１の電波強度が閾値ａ未満であるとき（ステップＳ３０４のＮｏ）、制御部１２３は、基地局１０１（ＬＴＥサービングセル）及び基地局１０３（ＬＴＥ隣接セル）の電波強度が閾値ｃ未満であるかを判断する（ステップＳ３０７）。
【００５４】
ステップＳ３０７の条件が満たされないとき、基地局１０３（ＬＴＥ隣接セル）の電波強度は閾値ｃ以上であるので、制御部１２３は、無線通信端末１０７の状態がSTATE_WEAKからSTATE_NEIGHBORに遷移したと判断する（ステップＳ３０８）。状態の変化に伴い、送信トリガを変更する必要があるので、制御部１２３は、RRCConnectionReconfigurationメッセージに変更すべき送信トリガ（イベントＡ１及びＡ５と周期型トリガ）の情報を含めて、当該メッセージを送受信部１２５に送信させる（ステップＳ３０６）。無線通信端末１０７は、RRCConnectionReconfigurationメッセージを受信し、送信トリガをイベントＡ１及びＢ２と周期型トリガとからイベントＡ１及びＡ５と周期型トリガとに変更する。
【００５５】
ステップＳ３０７において、基地局１０１及び基地局１０３の電波強度が閾値ｃ未満であるとき（ステップＳ３０７のＹｅｓ）、制御部１２３は、基地局１０５（ＨＲＰＤサービングセル）の電波強度が閾値ｂ以上であるかを判断する（ステップＳ３０９）。
【００５６】
基地局１０５の電波強度が閾値ｂ以上であるとき（ステップＳ３０９のＹｅｓ）、基地局１０５（ＨＲＰＤ隣接セル）をハンドオーバ先として決定する（ステップＳ３１０）。そして、ハンドオーバプロシージャにより、無線通信端末１０７は、図７のｔ３から基地局１０５と通信を行うことになる。
【００５７】
このように本実施形態では、制御部１２３は、ＬＴＥシステムの基地局１０１（ＬＴＥサービングセル）又は基地局１０１に隣接するＬＴＥシステムの基地局１０３（ＬＴＥ隣接セル）の電波強度が閾値ｃ以上であると、無線通信端末１０７に、ＨＲＰＤシステムの基地局１０５（ＨＲＰＤ隣接セル）の電波強度測定用のメジャメントギャップの設定を許可しない旨のメッセージを送信するように送受信部１２１を制御する。つまり、ＬＴＥサービングセルとＬＴＥ隣接セルの電波強度が共に閾値ｃ未満になるまでは、無線通信端末１０７は、ＨＲＰＤ隣接セルの電波強度を測定するためにメジャメントギャップを設定する必要がないので、ＬＴＥシステムにおける通信が中断されることはない。よって、ＬＴＥシステムにおける通信のスループットの低下を防ぐことができる。
【００５８】
また、本実施形態では、制御部１２３は、ＬＴＥシステムの基地局１０１（ＬＴＥサービングセル）と基地局１０３（ＬＴＥ隣接セル）との電波強度が閾値ｃ未満であると、無線通信端末１０７に、基地局１０５（ＨＲＰＤ隣接セル）の電波強度測定用のメジャメントギャップの設定を許可する旨のメッセージを送るように送受信部１２１を制御する。そして、制御部１２３は、送受信部１２１を介して受信された基地局１０５の電波強度が閾値ｃよりも高い閾値ｂ以上であると、基地局１０５を無線通信端末１０７のハンドオーバ先として決定する。ＬＴＥサービングセルとＬＴＥ隣接セルの電波強度が共に閾値ｃ未満になったとしても、ＨＲＰＤ隣接セルの電波強度が閾値ｂ以上にならないと、ＬＴＥサービングセルからＨＲＰＤ隣接セルへのハンドオーバが実行されることはない。ＨＲＰＤ隣接セルの電波強度が閾値ｂ以上になる前に、ＬＴＥ隣接セルの電波強度が閾値ｃ（ｃ＜ｂ）以上になると、ＨＲＰＤ隣接セルの電波強度の測定は中断され、ＬＴＥサービングセルからＨＲＰＤ隣接セルへのハンドオーバが実行される可能性はなくなる。つまり、ＨＲＰＤ隣接セルへのハンドオーバが実行される条件のほうがＬＴＥ隣接セルへのハンドオーバが実行される条件よりも厳しい。よって、ＬＴＥシステムよりもスループットの理論値が小さいＨＲＰＤシステムの基地局へのハンドオーバが必要以上に実行されることを避けられる。
【００５９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップ等に含まれる機能等は論理的に矛盾しないように再配置可能であり、複数の手段やステップ等を１つに組み合わせたり、或いは分割したりすることが可能である。
【符号の説明】
【００６０】
１１  通信ネットワーク
１０１  第１システムの基地局（ＬＴＥサービングセル）
１０３  第１システムの基地局（ＬＴＥ隣接セル）
１０５  第２システムの基地局（ＨＲＰＤ隣接セル）
１０７  無線通信端末
１１１、１１３、１１５、Ａ  領域
１２１  送受信部
１２３  制御部
【図１】
2012034048.tif 000006
【図２】
2012034048.tif 000007
【図３】
2012034048.tif 000008
【図４】
2012034048.tif 000009
【図５】
2012034048.tif 000010
【図６】
2012034048.tif 000011
【図７】
2012034048.tif 000012
【図８】
2012034048.tif 000013
【図９】
2012034048.tif 000014
【図１０】
2012034048.tif 000015
【図１１】
2012034048.tif 000016
【図１２】
2012034048.tif 000017
【図１３】
2012034048.tif 000018